(57)【要約】【課題】天井面に設置された煙感知器に、支持棒により下から押し当てて試験を行う作業時間が短時間で済み、試験に使用する煙の浪費を防止する。【解決手段】煙感知器２００に煙を供給することで試験を行う煙感知器試験装置１０は、円筒状の装置本体１２の上部の開口２８に、押下げ板３０をコイルバネ３４により押し込み移動自在に支持して下側に密閉された煙溜り部２５を形成し、煙溜り部２５に向けて煙を放出する発煙部７０と、発煙部から放出された煙を気流に乗せて煙溜り部に搬送する送風ファン６０が設けられる。天井面１１に設置された煙感知器２００に装置本体１２の押下げ板３０を押し当てた場合の押下げ移動により煙溜り部２５の中に煙感知器２００を位置させ、発煙部７０から放出された煙をファン６０により煙溜り部２５に搬送して煙感知器２００に流入させることで発報試験を行う。【選択図】図６
2019191814.tif 000002
【特許請求の範囲】
【請求項１】
煙感知器に煙を供給することで試験を行う煙感知器試験装置に於いて、
試験時に前記煙感知器又は前記煙感知器の設置面に当接する当接部と、
煙を発生させる発煙部と、
前記当接部の当接に連動して、前記煙感知器に前記発煙部で発生させた煙を流入させる気流を生じさせる送風動作を行う送風部と、
を備えたことを特徴とする煙感知器試験装置。
【請求項２】
請求項１記載の煙感知器試験装置に於いて、
前記当接部が当接する力学的作用により、前記送風部が送風動作を行うことを特徴とする煙感知器試験装置。
【請求項３】
請求項２記載の煙感知器試験装置に於いて、
上部に開口した筒状の装置本体を備え、
前記装置本体は、試験時に前記開口を介して煙感知器を試験空間に位置させるものであり、
前記当接部は、前記装置本体の開口にバネ部材により押し込み移動自在に支持された押下げ板であり、
前記送風部は、天井面の煙感知器に前記押下げ板を押し当てた場合の押下げ移動に連動してファンを回転駆動する回転駆動機構を備えたことを特徴とする煙感知器試験装置。
【請求項４】
請求項３記載の煙感知器試験装置に於いて、
前記回転駆動機構は、
前記押下げ板の押下げ移動による直線運動を回転運動に変換するラックピニオン機構と、
前記ラックピニオン機構から出力された回転を一方向に伝達するワンウェイクラッチと、
前記ワンウェイクラッチから出力された回転を前記ファンに伝達して回転させるギアトレインと、
前記ギアトレインを介して前記送風ファンを慣性回転させるフライホイールと、
が設けられたことを特徴とする煙感知器試験装置。
【請求項５】
請求項３記載の煙感知器試験装置に於いて、
前記装置本体は、
支持棒の先端に支持された本体固定部と、
前記本体固定部に対し別のバネ部材により押込み移動自在に支持された本体可動部と、
で構成され、
前記押下げ板は、前記本体可動部の開口部に当接して押し込み移動自在に支持されており、
前記押下げ板の最大移動距離に満たない高さの煙感知器に前記本体可動部を押し当てた場合、当該煙感知器との当接で前記押下げ板が押下げ移動された後に、前記本体可動部の天井面への当接により、前記本体可動部を前記押下げ板と一体に前記本体固定部に対し押込み移動させるように構成したことを特徴とする煙感知器試験装置。
【請求項６】
請求項３乃至５の何れかに記載の煙感知器試験装置に於いて、更に、
前記押下げ板は前記装置本体の前記開口の下側に密閉された煙溜り部を形成し、
前記送風部は前記発煙部から放出された煙を気流に乗せて前記煙溜り部に搬送し、
天井面に設置された前記煙感知器に前記押下げ板を押し当てた場合の押下げ移動により前記煙溜り部の中に前記煙感知器を位置させ、前記発煙部から放出された煙を前記送風部により前記煙溜り部に搬送して前記煙感知器に流入させる煙感知器試験装置。
【請求項７】
煙感知器に煙を供給することで試験を行う煙感知器試験装置に於いて、
試験時に前記煙感知器又は前記煙感知器の設置面に当接する当接部と、
煙を発生させる発煙部と、
を備え、
前記当接部は、前記装置本体の開口にバネ部材により押し込み移動自在に支持された押下げ板であり、
前記押下げ板は、前記装置本体の前記開口の下側に密閉された煙溜り部を形成し、
前記煙感知器試験装置は、
前記当接部の当接に連動して、前記煙感知器に前記発煙部で発生させた煙を流入させ、
天井面に設置された前記煙感知器に前記押下げ板を押し当てた場合の押下げ移動により前記煙溜り部の中に前記煙感知器を位置させ、前記発煙部から放出された前記煙溜り部の煙を前記押下げ板の押下げ移動により押し出して前記煙感知器に流入させるように構成されたことを特徴とする煙感知器試験装置。
【請求項８】
請求項３乃至７の何れかに記載の煙感知器試験装置に於いて、
支持棒の先端に支持部材を備え、
前記装置本体は軸部を備え、
前記支持部材により前記軸部を介して前記装置本体を回動自在に支持することを特徴とする煙感知器試験装置。
【請求項９】
請求項１乃至８の何れかに記載の煙感知器試験装置に於いて、更に、制御部が設けられ、
前記制御部は、試験開始に伴い前記発煙部を作動して煙を放出させ、試験終了に伴い前記発煙部の作動を停止させることを特徴とする煙感知器試験装置。
【請求項１０】
請求項１記載の煙感知器試験装置に於いて、
前記送風部は電動ファンであり、更に、制御部が設けられ、
前記制御部は、試験開始に伴い前記発煙部を作動して煙を放出させると共に前記電動ファンを駆動して前記煙を気流に乗せて前記煙感知器に流入させ、試験終了に伴い前記発煙部の作動を停止させると共に前記電動ファンを所定の遅延時間後に停止させることを特徴とする煙感知器試験装置。
【請求項１１】
請求項１乃至８の何れかに記載の煙感知器試験装置に於いて、更に、
前記装置本体の周壁に排煙口を開閉させる排煙機構が設けられ、
前記制御部は、試験開始に伴い前記発煙部を作動して煙を放出させ、試験終了に伴い前記発煙部の作動を停止させると共に、前記排煙機構を作動して前記排煙口を開口させ、前記装置本体内に位置している前記煙感知器に流入した煙を排出させることを特徴とする煙感知器試験装置。
【請求項１２】
請求項９乃至１１の何れかに記載の煙感知器試験装置に於いて、前記制御部は、スイッチ操作、天井面との接触の有無を検出する接触スイッチ、又は、天井面に対する近接の有無を検出する近接スイッチに基づいて、前記煙感知器の試験開始と試験終了を検出することを特徴とする煙感知器試験装置。
【請求項１３】
請求項１乃至１２の何れかに記載の煙感知器試験装置に於いて、
前記発煙部は、
上部が開口され、液体の発煙剤が貯留された容器と、
前記容器の開口を閉鎖する配線基板と、
前記配線基板から露出して配置され、端部が容器内の発煙剤に浸漬された不燃性の芯材と、
前記芯材の前記配線基板から露出した部位に配置され、含侵された前記発煙剤を加熱して発煙させるヒータと、
を備えたことを特徴とする煙感知器試験装置。
【発明の詳細な説明】
【技術分野】
【０００１】
本発明は、煙感知器の動作試験に用いられる煙感知器試験装置に関する。
【背景技術】
【０００２】
従来、オフィス等の建物内には火災報知設備が設置されており、火災が発生した場合に、火災により発生した煙を煙感知器で検知して発報信号を受信機に送って火災警報を出力させ、消火、避難、消防活動を行うことができるようにしている。
【０００３】
火災報知設備は、建物への設置後、定期的に総合点検が行われており、煙感知器については、天井面に設置された煙感知器を取外し、点検の際に持ち込んだ感度試験器を使用して煙感知器が適正な感度にあることを確認し、感度試験の済んだ煙感知器を取り付けた後に、加煙試験器を使用して動作を確認するようにしている。
【０００４】
このような従来の加煙試験器としては、スプレーにより煙状微粒子を含む試験用ガス（擬似煙）を発生させるもの（特許文献１）や、試験油を浸透させた浸透材を電気ヒータにより加熱して油煙を発生させて、この油煙を送風装置により強制的に上昇させるもの（特許文献２）が提案されている。
【先行技術文献】
【特許文献】
【０００５】
【特許文献１】特開平０３−０４２７９９号公報
【特許文献２】特開平０６−３０９５７７号公報
【発明の概要】
【発明が解決しようとする課題】
【０００６】
しかしながら、特許文献１のようなスプレーによる加煙試験器にあっては、フロンガスを使用しているため環境負荷が大きく、また、今後は代替フロンの入手困難や価格高騰などの問題がある。代替ガスとしてＬＰＧを使用することもできるが、ＬＰＧは可燃性であり、低温で使用できないなどの問題がある。
更に、このようなスプレー方式では、ガスの噴射量の制御が容易ではなく、高濃度の擬似煙が発生した場合は、煙感知器の発報後の復旧に時間がかかり、低濃度の擬似煙が発生した場合は、発報するまでに時間がかかり、何れの場合にも点検効率が悪くなる。
【０００７】
また、特許文献２のような油煙式の加煙試験器にあっては、上向きに開放された試験器内に発煙装置及び送風装置を配置し、天井面の煙感知器に下から加煙試験器を押し当てた状態で、発煙装置から煙を加煙試験器内に放出させて試験発報させているが、煙を放出し始めてから煙濃度が上昇して煙感知器が試験発報するまで時間がかかり、その間、支持棒により加煙試験器を煙感知器に推し当てた状態を保持していなければならず、作業負担が大きいという問題がある。
【０００８】
また、動作試験作業は、複数の煙感知器に対して設置場所を移動しながら動作試験を順次行うが、一度、動作試験を行って次の煙感知器の動作試験を行う場合、加煙試験器が上向きに開放されているため、移動している間に加煙試験器内に放出していた煙は外部に抜け出してしまい、次に煙を放出し始めてから煙濃度が上昇して煙感知器が試験発報するまで時間がかかり、また、発煙装置から放出された煙が無駄になるという問題がある。
【０００９】
更に、発煙装置から煙を放出させてから加煙試験器内に煙が充満するまで煙感知器の検煙部に煙が流入しないため、発煙を開始してから試験発報するまで時間がかかるという問題もある。
【００１０】
本発明は、天井面に設置された煙感知器に、支持棒により下から押し当てて試験を行う作業時間が短時間で済み、また、試験に使用する煙の浪費を防止する煙感知器試験装置を提供することを目的とする。
【課題を解決するための手段】
【００１１】
（第１発明の煙感知器試験装置）
本発明は、煙感知器に煙を供給することで試験を行う煙感知器試験装置に於いて、
試験時に煙感知器又は煙感知器の設置面に当接する当接部と、
煙を発生させる発煙部と、
当接部の当接に連動して、煙感知器に発煙部で発生させた煙を流入させる気流を生じさせる送風動作を行う送風部と、
を備えたことを特徴とする。
【００１２】
（当接部の当接による送風動作）
当接部が当接する力学的作用により、送風部が送風動作を行う。
【００１３】
（装置本体の構造と送風部の回転駆動機構）
上部に開口した筒状の装置本体を備え、
装置本体は、試験時に開口を介して煙感知器を試験空間に位置させるものであり、
当接部は、装置本体の開口にバネ部材により押し込み移動自在に支持された押下げ板であり、
送風部は、天井面の煙感知器に前記押下げ板を押し当てた場合の押下げ移動に連動してファンを回転駆動する回転駆動機構を備える。
【００１４】
（回転駆動機構の構成）
回転駆動機構は、
押下げ板の押下げ移動による直線運動を回転運動に変換するラックピニオン機構と、
ラックピニオン機構から出力された回転を一方向に伝達するワンウェイクラッチと、
ワンウェイクラッチから出力された回転を前記ファンに伝達して回転させるギアトレインと、
ギアトレインを介して送風ファンを慣性回転させるフライホイールと、
が設けられる。
【００１５】
（装置本体の可動構造）
装置本体は、
支持棒の先端に支持された本体固定部と、
本体固定部に対し別のバネ部材により押込み移動自在に支持された本体可動部と、
で構成され、
押下げ板は、本体可動部の開口部に当接して押し込み移動自在に支持されており、
押下げ板の最大移動距離に満たない高さの煙感知器に本体可動部を押し当てた場合、当該煙感知器との当接で押下げ板が押下げ移動された後に、本体可動部の天井面への当接により、本体可動部を押下げ板と一体に本体固定部に対し押込み移動させるように構成する。
【００１６】
（押下げ板による煙溜り部構成の密閉構造）
押下げ板は装置本体の開口の下側に密閉された煙溜り部を形成し、
送風部は発煙部から放出された煙を気流に乗せて煙溜り部に搬送し、
天井面に設置された煙感知器に押下げ板を押し当てた場合の押下げ移動により煙溜り部の中に煙感知器を位置させ、発煙部から放出された煙を送風部により煙溜り部に搬送して煙感知器に流入させるように構成する。
【００１７】
（第２発明の煙感知器試験装置：送風部なし）
煙感知器に煙を供給することで試験を行う煙感知器試験装置に於いて、
試験時に煙感知器又は煙感知器の設置面に当接する当接部と、
煙を発生させる発煙部と、
を備え、
当接部は、装置本体の開口にバネ部材により押し込み移動自在に支持された押下げ板であり、
押下げ板は、装置本体の開口の下側に密閉された煙溜り部を形成し、
煙感知器試験装置は、
当接部の当接に連動して、煙感知器に発煙部で発生させた煙を流入させ、
天井面に設置された煙感知器に押下げ板を押し当てた場合の押下げ移動により煙溜り部の中に煙感知器を位置させ、発煙部から放出された煙溜り部の煙を押下げ板の押下げ移動により押し出して煙感知器に流入させるように構成する。
【００１８】
（装置本体の支持構造）
支持棒の先端に支持部材を備え、
装置本体は軸部を備え、
支持部材により軸部を介して装置本体を回動自在に支持される。
【００１９】
（発煙部の制御）
更に、制御部が設けられ、
制御部は、試験開始に伴い発煙部を作動して煙を放出させ、試験終了に伴い発煙部の作動を停止させる。
【００２０】
（電動ファン）
送風部は電動ファンであり、更に、制御部が設けられ、
制御部は、試験開始に伴い発煙部を作動して煙を放出させると共に電動ファンを駆動して煙を気流に乗せて前記煙感知器に流入させ、試験終了に伴い発煙部の作動を停止させると共に電動ファンを所定の遅延時間後に停止させる。
【００２１】
（発煙部と排煙機構の制御）
更に、装置本体の周壁に排煙口を開閉させる排煙機構が設けられ、
制御部は、試験開始に伴い発煙部を作動して煙を放出させ、試験終了に伴い発煙部の作動を停止させると共に、排煙機構を作動して排煙口を開口させ、装置本体内に位置している煙感知器に流入した煙を排出させる。
【００２２】
（試験開始と試験終了の検出）
制御部は、スイッチ操作、天井面との接触の有無を検出する接触スイッチ、又は、天井面に対する近接の有無を検出する近接スイッチに基づいて、煙感知器の試験開始と試験終了を検出する。
【００２３】
（発煙部）
発煙部は、
上部が開口され、液体の発煙剤が貯留された容器と、
容器の開口を閉鎖する配線基板と、
配線基板から露出して配置され、端部が容器内の発煙剤に浸漬された不燃性の芯材と
芯材の配線基板から露出した部位に配置され、含侵された発煙剤を加熱して発煙させるヒータと、
を備える。
【発明の効果】
【００２４】
［基本的な効果］
（第１発明の基本的な効果）
本発明は、煙感知器に煙を供給することで試験を行う煙感知器試験装置に於いて、試験時に煙感知器又は煙感知器の設置面に当接する当接部と、煙を発生させる発煙部と、当接部の当接に連動して、煙感知器に発煙部で発生させた煙を流入させる気流を生じさせる送風動作を行う送風部とを備えたため、発煙部で煙を発生させた状態で、煙感知器への当接部の押し当てによる当接に連動した送風部の送風動作により煙感知器に煙を流入して試験発報させることができ、外部に対する煙の漏れ出しが抑制され、少量の煙で確実に試験発報させることができ、発煙部による煙の発生量を低減して発煙部による試験可能回数が増加し、消耗品となる発煙剤のコストを低減可能とする。
【００２５】
更に、送風部により発煙部から放出された煙を気流に乗せて煙感知器に流入させることで、発煙部から放出された煙を煙感知器に効率良く流入させ、試験発報を短時間で行うことができる。
【００２６】
（当接部の当接による送風動作の効果）
また、当接部が当接する力学的作用により、送風部が送風動作を行ものであり、例えば、上部に開口した筒状の装置本体を備え、装置本体は、試験時に開口を介して煙感知器を試験空間に位置させるものであり、当接部は、装置本体の開口にバネ部材により押し込み移動自在に支持された押下げ板であり、送風部は、天井面の煙感知器に前記押下げ板を押し当てた場合の押下げ移動に連動してファンを回転駆動する回転駆動機構を備えようにしたため、装置本体を天井面の煙感知器に当接させた場合の押下げ板の押下げ移動に連動した力学的作用により送風ファンを回転駆動機構により駆動する送風動作が行われ、電気エネルギーを必要としないため、煙感知器試験装置に使用している電池電源の消耗を抑制できる。
【００２７】
これにより、電源の軽量化を図ることが可能となる。支持棒の先端に試験部を備える構造の場合、電源は試験部に備えることが配線上好適であるが、電源が重いと支持棒の先端が重くなり、試験時の操作が難しくなる虞がある。本願によれば電源の軽量化が可能となるため、試験時の操作が容易となる。
【００２８】
（回転駆動機構の構成による効果）
また、回転駆動機構は、押下げ板の押下げ移動による直線運動を回転運動に変換するラックピニオン機構と、ラックピニオン機構から出力された回転を一方向に伝達するワンウェイクラッチと、ワンウェイクラッチから出力された回転を送風ファンに伝達して回転させるギアトレインと、ギアトレインを介して送風ファンを慣性回転させるフライホイールと設けられたため、押下げ板の押下げ移動はラックピニオン機構により回転運動に変換され、送風ファンを回転駆動して検煙部から放出した煙を気流に乗せて効率良く試験空間に送り込むことができる。
【００２９】
また、ラックピニオン機構のピニオンギアの回転は、ワンウェイクラッチを介してフライホイールを備えたギアトレインを介して送風ファン側に伝達され、押下げ板の動きが停止してラックピニオン機構からの回転出力が停止しても、フライホイールにより慣性回転している送風ファン側からの駆動力はピニオンギアに伝達されず、送風ファンを慣性回転させることで、検煙部から放出した煙を気流に乗せて効率良く試験空間に送り込むことができる。
【００３０】
（装置本体の可動構造による効果）
また、装置本体は、支持棒の先端に支持された本体固定部と、本体固定部に対し別のバネ部材により押込み移動自在に支持された本体可動部とで構成され、押下げ板は、本体可動部の開口部に当接して押し込み移動自在に支持されて下側に密閉された試験空間部を形成しており、押下げ板の最大移動距離（最大ストローク）に満たない高さの煙感知器に本体可動部を押し当てた場合、当該煙感知器との当接で押下げ板が押下げ移動された後に、本体可動部の天井面側への当接により、本体可動部を押下げ板と一体に本体固定部に対し押込み移動させるように構成したため、煙感知器の高さが低い場合には、押下げ板の移動距離が十分に得られないが、押下げ板が本体可動部に設けられたことで、押下げ板の移動が停止すると本体可動部が本体固定部側に押下げ移動して押下げ板の移動距離が増加し、高さの低い煙感知器であっても、押下げ板の十分な移動距離が確保されることで、回転駆動機構を介して送風ファンを高速回転し、検煙部から放出した煙を気流に乗せて効率良く試験空間に送り込むことができる。
【００３１】
（押下げ板による煙溜り部構成の密閉構造による効果）
押下げ板は装置本体の開口の下側に密閉された煙溜り部を形成し、送風部は発煙部から放出された煙を気流に乗せて煙溜り部に搬送し、天井面に設置された煙感知器に押下げ板を押し当てた場合の押下げ移動により煙溜り部の中に煙感知器を位置させ、発煙部から放出された煙を送風部により煙溜り部に搬送して煙感知器に流入させることで、当接部となる押下げ板により密閉された装置本体の煙溜り部に発煙部からの煙を流入させた状態で、煙感知器への装置本体の当接による押下げ板の押下げ移動により煙溜り部の中に煙感知器を位置させる際に、押下げ移動する押下げ板のポンプ作用により、押下げ板の周囲の隙間から煙感知器側に検煙部から放出された煙が送り込まれ、煙感知器に煙を流入させることで確実に試験発報させることができる。
【００３２】
また装置本体の開口に押下げ板が配置されて煙溜り部を密閉していることで、外部に対する煙の漏れ出しが抑制され、少量の煙で確実に試験発報させることができる。
【００３３】
（第２発明の基本的な効果）
本発明の別の形態にあっては、煙感知器に煙を供給することで試験を行う煙感知器試験装置に於いて、試験時に煙感知器又は煙感知器の設置面に当接する当接部と、煙を発生させる発煙部と、を備え、当接部は、装置本体の開口にバネ部材により押し込み移動自在に支持された押下げ板であり、押下げ板は、装置本体の開口の下側に密閉された煙溜り部を形成し、煙感知器試験装置は、当接部の当接に連動して、煙感知器に発煙部で発生させた煙を流入させ、天井面に設置された煙感知器に押下げ板を押し当てた場合の押下げ移動により煙溜り部の中に煙感知器を位置させ、発煙部から放出された煙溜り部の煙を押下げ板の押下げ移動により押し出して煙感知器に流入させることで、外部に対する煙の漏れ出しが抑制され、少量の煙で確実に試験発報させることができ、発煙部による煙の発生量を低減して発煙部による試験可能回数が増加し、消耗品となる発煙剤のコストを低減可能とする。
【００３４】
更に、送風部が設けられていないことで、構造が簡単となり、コストを低減可能とする。また、第２発明においても、押下げ板による煙溜り部構成の密閉構造を採用することで、押下げ板による煙溜り部構成の密閉構造による効果に記載の前記効果を得ることが可能となる。
【００３５】
（装置本体の支持構造による効果）
また、支持棒の先端に支持部材を備え、装置本体は軸部を備え、支持部材により軸部を介して装置本体を回動自在に支持されたため、点検員は天井面に設置された煙感知器に対し支持棒の先端に回動自在に支持された装置本体を当接させて効率良く試験作業を進めることができる。
【００３６】
（発煙部の制御による効果）
また、煙感知器試験装置には、更に、制御部が設けられ、制御部は、試験開始に伴い発煙部を作動して煙を放出させ、試験終了に伴い発煙部の作動を停止させるようにしたため、試験中においてのみ発煙部から煙が放出され、発煙部による煙の発生量を必要最小限に低減できる。
【００３７】
（電動ファンの効果）
また、送風部は電動ファンであり、更に、制御部が設けられ、制御部は、試験開始に伴い発煙部を作動して煙を放出させると共に電動ファンを駆動して煙を気流に乗せて前記煙感知器に流入させ、試験終了に伴い発煙部の作動を停止させると共に電動ファンを所定の遅延時間後に停止させるようにしたため、電動ファンにより試験中に発煙部から放出された煙を気流に乗せて煙感知器に流入させることで、押下げ板の押し下げ移動で試験空間に位置した煙感知器に発煙部から放出された煙を効率良く流入させ、試験発報を短時間で行うことができ、また、試験停止に伴い電動ファンを遅延停止させることで、発煙部による煙の放出を停止した状態で、電動ファンにより試験空間に気流を送り込むことで、試験空間に位置している煙感知器に流入した煙を効率良く排出させ、試験発報した煙感知器の復旧時間を短くすることを可能とする。
【００３８】
（発煙部と排煙機構の制御による効果）
また、煙感知器試験装置には、更に、装置本体の周壁に排煙口を開閉させる排煙機構と制御部とが設けられ、制御部は、試験開始に伴い発煙部を作動して煙を放出させ、試験終了に伴い発煙部の作動を停止させると共に、排煙機構を作動して排煙口を開口させ、装置本体内に位置している煙感知器に流入した煙を排出させるようにしたため、試験中においてのみ煙が放出されて発煙部による煙の発生量を必要最小限に低減できる効果に加え、試験終了に伴い排煙口が開放されることで、試験空間から外部に煙が排出され、これに伴い煙感知器に流入した煙も効率良く排出され、試験発報した煙感知器を短時間で復旧させることができる。
【００３９】
試験発報では煙感知器に設けられた発報表示灯が点灯するが、試験時の発報表示灯の最大点灯数は、受信機の電源容量を超えないように制限されており、最大点灯数に達した場合には、煙感知器の復旧による発報表示灯の消灯を待たないと次の煙感知器の発報試験ができないため、試験発報した煙感知器の復旧時間が短くなると、発報試験の作業を効率良く進めることができる。
【００４０】
（試験開始と試験終了の検出による効果）
また、制御部は、スイッチ操作、天井面側との接触の有無を検出する接触スイッチ、又は、天井面に対する近接の有無を検出する近接スイッチに基づいて、煙感知器の試験開始と試験終了を検出するようにしたため、点検員の試験スイッチのオンオフ操作、接触スイッチのオンオフ、又は近接スイッチのオンオフによる試験開始と試験終了を確実に検出して、制御部による発煙部、電動ファン、排煙機構等の制御動作を適切に行うことを可能とする。
【００４１】
（発煙部の効果）
また、発煙部は、上部が開口され、液体の発煙剤が貯留された容器と、容器の開口を閉鎖する配線基板と、配線基板から露出して配置され、端部が容器内の発煙剤に浸漬された不燃性の芯材と、芯材の配線基板から露出した部位に配置され、含侵された発煙剤を加熱して発煙させるヒータとを備えたため、容器に動作試験に必要な十分な量の発煙剤を入れておくことができ、使用により発煙剤が減少した場合には簡単に補充することができ、作業効率を向上可能とする。
【図面の簡単な説明】
【００４２】
【図１】煙感知器試験装置の概略を示した説明図
【図２】煙感知器試験装置の第１実施形態を示した説明図
【図３】図２の煙感知器試験装置を平面から示した説明図
【図４】図２の煙感知器試験装置から発煙部を取り出して示した説明図
【図５】図２の煙感知器試験装置に設けた制御部の機能構成を示したブロック図
【図６】煙感知器試験装置による背の高い煙感知器の発報試験を示した説明図
【図７】煙感知器試験装置による背の低い煙感知器の発報試験を示した説明図
【図８】煙感知器試験装置の第２実施形態を示した説明図
【図９】電動ファンを設けた煙感知器試験装置の第３実施形態を示した説明図
【図１０】送風部を持たない煙感知器試験装置の第４実施形態を示した説明図
【発明を実施するための形態】
【００４３】
［煙感知器試験装置の概要］
図１は煙感知器試験装置の概略を示した説明図である。図１に示すように、本実施形態の煙感知器試験装置１０は、装置本体１２が支持棒１６の先端にＵ字形の支持部材１４により軸部１５を介して回動自在に支持されており、軸部１５を装置本体１２の重心位置より上側に設けることで、支持棒１６により支持部材１４が傾いても、装置本体１２は図示の直立した姿勢を保つことができる。
【００４４】
支持棒１６の末端側にはグリップ１８が設けられ、グリップ１８の上方にはリモコン装置２０が装着されている。リモコン装置２０には、電源スイッチ２２と試験スイッチ２４が設けられる。電源スイッチ２２は例えばスライド操作によりオン、オフするスイッチであり、試験スイッチ２４は例えば操作毎にオン、オフを繰り返すスイッチである。例えば試験スイッチ２４は照光スイッチであり、押込み操作によりスイッチ内のランプが点灯してオン状態を示し、この状態で押込み操作を行うとランプが消灯してオフ状態を示す。
【００４５】
天井面１１に設置された感知器ベース２０２に着脱自在に設けられた煙感知器２００の発報試験を行う場合、点検員はグリップ１８を持つことで、支持棒１６の先端に支持部材１４により支持されている装置本体１２の上側を煙感知器２００の下に位置合せし、装置本体１２を煙感知器２００に押し当て内部に押し込む。
【００４６】
煙感知器２００が装置本体１２の内部に位置すると、装置本体１２の内部に設けた発煙部から放出された煙が送風部からの気流により搬送され、煙感知器２００の煙流入口から内部に流入することで試験発報する。煙感知器２００が試験発報すると、発報信号が受信機に送られ、受信機からの応答信号を受信することで、煙感知器２００に設けている発報表示灯２０４が点灯し、これにより点検員は煙感知器２００が正常に動作したことを確認できる。
【００４７】
煙感知器２００の発報試験におけるリモコン装置２０の操作としては、発報試験に先立ち電源スイッチ２２をオンし、装置本体１２を煙感知器２００に押し当てて内部に位置させた状態で、例えば、試験スイッチ２４をオン操作すると、発煙部と送風部の作動による煙の放出搬送により発報試験が行われ、煙感知器２００の発報表示灯が点灯して動作を確認したら試験スイッチ２４をオフ操作すると、発煙部と送風部の作動が停止される。
【００４８】
［煙感知器試験装置の第１実施形態］
図２は煙感知器試験装置の第１実施形態を示した説明図、図３は図２の煙感知器試験装置を平面から示した説明図である。
【００４９】
（装置本体）
図２に示すように、本実施形態における煙感知器試験装置の装置本体１２は、円筒状の本体可動部１２ａと本体固定部１２ｂ〜１２ｄで構成され、本体固定部１２ｂ〜１２ｄは軸方向に連結固定されており、本体可動部１２ａは本体固定部１２ｂに対しに押下げ移動自在に配置されている。また、本体可動部１２ａ及び本体固定部１２ｂ〜１２ｄは底部隔壁１２ｅ〜１２ｈを一体に備えている。
【００５０】
また、少なくとも本体可動部１２ａと本体固定部１２ｂは、煙感知器の試験発報による発報表示灯の点灯を点検員が下側から確認できるように、透明な合成樹脂で形成される。勿論、本体固定部１２ｃ，１２ｄも透明な合成樹脂としても良い。
【００５１】
本体可動部１２ａの内部には煙溜り部２５が形成され、本体固定部１２ｂの内部には送風ファン６０と発煙部７０が配置され、本体固定部１２ｃの内部には送風ファン６０の回転駆動機構５０が配置され、本体固定部１２ｄの内部の回路収納部６２には電池電源６４と制御部基板６６が配置されている。なお、電池電源６４は、図１に示したリモコン装置２０側に配置しても良い。
【００５２】
（押下げ板の構造）
図２に示すように、本体可動部１２ａの上部開口には、当接部として機能するリング状の開口部材２６が固定され、開口部材２６にはテーパー形状に開いた開口２８が形成されている。開口部材２６の下側には円板状の押下げ板３０が配置される。
【００５３】
押下げ板３０の開口部材２６に対する当接面には、リング状のシール３１が配置され、本体可動部１２ａの内部を密閉状態としている。
【００５４】
押下げ板３０は、下側にガイドロッド３２の一端が固定され、ガイドロッド３２の他端は底部隔壁１２ｅを貫通し、更に、その下の底部隔壁１２ｆに起立したガイド筒３６を通して下側に延在されている。ガイドロッド３２にはコイルバネ３４が通され、コイルバネ３４は押下げ板３０とガイド筒３６の間に配置されている。また、図３の平面図に示すように、ガイドロッド３２及びコイルバネ３４は、押下げ板３０の３箇所に配置されている。
【００５５】
このため押下げ板３０はコイルバネ３４により開口部材２６の下側に押し当てられており、且つ、図６に示すように、装置本体１２を天井面１１の煙感知器２００に押し当てた場合に、煙感知器２００の当接を受けて本体可動部１２ａ内に押下げ板３０が押し込み移動されるように支持される。
【００５６】
煙感知器に対する押し当てで押し込み移動される押下げ板３０の最大ストロークＬ（開口部材２６に当接した状態から底部隔壁１２ｅに当接するまでの移動距離）は、試験対象とする煙感知器の高さに対応して設定されている。煙感知器は、高さが異なる複数種類のものがあり、その中で所定の最大高さに対応して押下げ板３０の最大ストロークＬが設定される。
【００５７】
ここで、図１の煙感知器２００を例にとると、本実施形態における煙感知器の高さＨとは、煙感知器２００の実高さＨｏから図２に示す開口部材２６の厚さｄを差し引いた見掛け上の高さＨ（＝Ｈｏ−ｄ）を意味する。
【００５８】
本実施形態では、押下げ板３０の最大ストロークＬは、煙感知器の最大実高さを（Ｈｏ）ｍａｘとすると、最大実高さを（Ｈｏ）ｍａｘから開口部材２６の厚さｄを差し引いた見掛け上の最大高さＨｍａｘ
Ｈｍａｘ＝（Ｈｏ）ｍａｘ−ｄ
に設定される。
【００５９】
なお、開口部材２６の厚さｄが無視できる程度に小さければ、押下げ板３０の最大ストロークＬは、煙感知器の最大実高さ（Ｈｏ）ｍａｘに設定されることになる。また、以下の説明では、煙感知器の見掛け上の高さＨや見掛け上の最大高さＨｍａｘを、単に、煙感知器の高さＨ及び最大高さＨｍａｘという。
【００６０】
押下げ板３０と底部隔壁１２ｅで仕切られた本体可動部１２ａの内部には煙溜り部２５が形成されている。このため装置本体１２を天井面の煙感知器に押し当てると、押下げ板３０は煙溜り部２５の中を押下げ移動し、煙溜り部２５の煙を押下げ板３０の上側の煙感知器が位置する空間に噴出させるポンプ作用（押出し作用）が得られる。
【００６１】
図３に示すように、開口部材２６の下側に配置された押下げ板３０は、中心に対し相対した２箇所に分けて内側に切り欠いたスリット３０ａが形成されており、煙感知器に対する押し当てで押下げ板３０が煙溜り部２５内を押下げ移動すると、煙溜り部２５に滞留している煙は押下げ板３０の移動に伴うポンプ作用により、スリット３０ａの形成による隙間を通って煙感知器が位置する上側の空間に押し出される。
【００６２】
（本体可動部の押下げ構造）
図２に示すように、底部隔壁１２ｅを一体に備えた本体可動部１２ａは、その下側に位置する本体固定部１２ｂに対し押下げ移動自在に配置されている。本体可動部１２ａの底部隔壁１２ｅの下側にはガイドロッド４０の一端が固定され、ガイドロッド４０の他端は本体固定部１２ｂの底部隔壁１２ｆを貫通して下側に延在されている。
【００６３】
ガイドロッド４０にはコイルバネ４２が通され、コイルバネ４２は本体可動部１２ａの底部隔壁１２ｅと本体固定部１２ｂの底部隔壁１２ｆとの間に配置されている。また、図３の平面図に示すように、ガイドロッド４０及びコイルバネ４２は、本体可動部１２ａの底部隔壁１２ｅの３箇所に配置されている。このため本体可動部１２ａはコイルバネ４２の支持により、本体固定部１２ｂに対し押込み移動自在に支持されている。
【００６４】
本体可動部１２ａの押下げ構造は、天井面に設置されている煙感知器の高さが低い薄型の煙感知器、即ち、所定の最大高さＨｍａｘ未満の場合に、煙感知器が押下げ板３０を押し下げて内部の煙溜り部２５に位置した状態で、本体可動部１２ａの上側の開口部材２６が天井面の感知器ベース側に当接するようになり、これにより本体可動部１２ａがコイルバネ４２を圧縮して本体固定部１２ｂに対し押込み移動される動きを作り出す。
【００６５】
このような本体可動部１２ａの押下げ構造により、煙感知器の高さＨが所定の最大高さＨｍａｘ未満の薄型の煙感知器であっても、煙感知器に対する装置本体１２の押し当てによる押下げ板３０と本体可動部１２ａの押し込み移動により、煙感知器の最大高さＨｍａｘと同じ最大ストロークＬに相当する押下げ移動を可能とする。この点は、後の薄型の煙感知器の発報試験の説明で更に明らかにされる。
【００６６】
（送風ファンの回転駆動機構）
図１に示すように、天井面１１に設置された煙感知器２００に装置本体１２を押し当てた場合の図２に示す押下げ板３０の押下げ移動に伴う直線運動は、回転駆動機構５０により回転運動に変換され、装置本体１２を煙感知器に当接させた場合の力学的作用により送風ファン６０を回転させて送風動作を行う。
【００６７】
押下げ板３０の下側にはフローティングジョイント３８を介してラックバー４４の一端が連結され、ラックバー４４は底部隔壁１２ｅの開口を貫通し、その下の底部隔壁１２ｆに貫通配置されたラックガイド４５を通して本体固定部１２ｃの中に他端が位置しており、他端側にはラックギア４６が押下げ板３０のストロークＬを超える所定の長さにわたり形成されている。
【００６８】
ラックギア４６には直交する方向からピニオンギア４８が噛み合っており、押下げ板３０の押下げ移動に伴うラックバー４４の直線運動をラックギア４６とピニオンギア４８の噛み合いで回転運動に変換している。
【００６９】
ピニオンギア４８の回転軸はラチェットギア等を用いたワンウェイクラッチ５２を介してギア５３に連結されている。ギア５３にはギア５４が噛み合い、ギア５４にはギア５５が噛み合い、ギア５５の軸を送風ファン６０に連結している。
【００７０】
また、ギア５３にはギア５６が噛み合い、ギア５６の軸はフライホイール５８に連結されている。フライホイール５８はピニオンギア４８からの回転入力が断たれた場合に慣性回転して送風ファン６０を継続回転させる。
【００７１】
ワンウェイクラッチ５２はピニオンギア４８の連結側を入力軸、ギア５３の連結側を出力軸とすると、入力軸の回転による駆動力を出力軸に伝達するが、出力軸の回転による駆動力を入力軸には伝達しないという入力軸から出力軸となる一方向にのみ駆動力を伝達する機能を備える。
【００７２】
このため押下げ板３０の押下げ移動に伴うピニオンギア４８の回転による駆動力をギア５３に伝達し、ギア５４，５５を介して送風ファン６０を回転駆動するが、押下げ板３０の押下げ移動が停止してピニオンギア４８の回転が停止しても、フライホイール５８によるギア５３側の慣性回転による駆動力はピニオンギア４８に伝達されず、送風ファン６０はフライホイール５８により慣性回転を受けて回転を続けることができる。
【００７３】
（発煙部）
図４は図２の煙感知器試験装置から発煙部を取り出して示した説明図であり、図４（Ａ）は正面を示し、図４（Ｂ）は平面を示す。
【００７４】
図４に示すように、発煙部７０には透明な合成樹脂で形成された容器８０が設けられ、容器８０の開口は配線基板８２の装着で閉鎖されている。容器８０には発煙剤８６が収納されている。発煙剤８６は発煙剤注入口キャップ８４を外して容器８０内に充填又は補充できる。
【００７５】
発煙剤８６としては、親水性を有し保水性が高い成分、例えば、グリセリン、プロピレングリコール、ジプロピレングリコール、トリプロピレングリコール、グリコール等の成分のうち少なくとも一種類の成分を含む人体に無害な水溶性液体が用いられる。
【００７６】
配線基板８２の上には不燃性の芯材８８が配置され、芯材８８の両端は配線基盤８２に形成された通し穴を介して容器８０内の発煙剤８６に浸漬され、毛細管現象により配線基板８２から露出した部分にも発煙剤８６が含侵されている。芯材８８としては、不燃性のガラス繊維、シリカ繊維、ステンレス撚り線等が使用される。
【００７７】
配線基板８２の上面に位置する芯材８８の水平露出部分には、ヒータ９０が巻き回されている。ヒータ９０は、ニクロム線、白金線等の金属線であり、例えば線径０．２〜０．４ｍｍのヒータ線を芯材８８にコイル状に巻き回し、例えばコイル内径は１．０〜３．０ｍｍでコイル長さは１０ｍｍ以下としている。
【００７８】
ヒータ９０は、コイル両端が配線基板８２に起立した一対のヒータ支持ポスト９４ａ，９４ｂにネジにより固定支持され、ヒータ支持ポスト９４ａ，９４ｂを介してコイル両端が配線基板８２の配線パターンによりコネクタ９６接続され、更に、リード線９８を介して制御部に接続される。
【００７９】
コネクタ９６はマグネットコネクタ等の着脱容易なコネクタとしても良い。コネクタ９６を着脱容易なものとすることで、発煙剤８６の容器８０を含む発煙部の着脱が容易となり、発煙剤８６の充填又は補充を容易にすることが可能となる。
【００８０】
制御部の制御によりヒータ９０を駆動すると、ヒータ９０の加熱で芯材８８に含侵されている発煙剤８６が蒸発して気化し、煙感知器の発報試験に用いる煙を放出させる。
【００８１】
（排煙機構）
図２に示すように、本体可動部１２ａ内に形成された煙溜り部２５を囲む周壁には排煙機構７２が設けられる。排煙機構７２は煙溜り部２５を囲む本体可動部１２ａの周壁に排煙口７４が形成され、排煙口７４にはアクチュエータ７８により開閉駆動される排煙扉７６が設けられる。
【００８２】
排煙扉７４は制御部で試験終了が検出された場合のアクチュエータ７８の作動で開放され、このとき発煙部７０による煙の放出は停止されていることから、煙溜り部２５に滞留している煙を排煙口７４から外部に排出させ、煙溜り部２５に位置している煙感知器に流入した煙を効率良く流出させ、煙感知器の復旧を早めることを可能とする。
【００８３】
また、排煙扉７６を開放した際に、送風ファン６０がフライホイール５８により慣性回転されている状態にあれば、送風ファン６０により搬送された空気により煙溜り部２５に滞留している煙が強制的に排出され、煙感知器の復旧を早めることができる。
【００８４】
このように試験発報した煙感知器の復旧時間が短縮されると、複数の点検員で煙感知器の発報試験を行っている場合、発報表示灯の点灯数か所定の最大数を超えないようすることが可能となり、試験発報した煙感知器の復旧待ちが低減又は無くなることで、トータル的な発報試験の作業時間を低減して、作業能率を高めることができる。
【００８５】
なお、本実施形態は排煙扉７６をアクチュエータ７８による回転で開閉させているが、排煙扉をスライド扉とし、アクチュエータによるスライド作動で開閉させるようにしても良い。
【００８６】
（接触スイッチ）
図２に示すように、本体可動部１２ａには、押下げ板３０の押下げ移動による試験開始を検出するために接触スイッチ６８が設けられている。接触スイッチ６８としてはマイクロスイッチが使用され、図示の押下げ板３０の閉鎖位置でスイッチレバーを押し込んで接触スイッチ６８はオフしており、天井面に設置された煙感知器への押し当てにより押下げ板３０が押下げ移動されると、スイッチレバーが開放されることで接触スイッチ６８はオンする。
【００８７】
このため制御部は接触スイッチ６８のオンで試験開始を検出し、その後の接触スイッチ６８のオフで試験終了を検出できる。
【００８８】
なお、本実施形態の接触スイッチ６８は押下げ板３０の動きを検出しているが、開口部材２６側に設け、上部に突出したピンに対する煙感知器の接触による押込みでオンするようにしても良い。
【００８９】
また、試験開始と試験終了を検出するためのスイッチとしては、本実施形態の接触スイッチ６８以外に、近接スイッチを用いることができる。近接スイッチは発光部と受光部を備え、装置本体１２を天井面の煙感知器に近づけて場合の発光部からの光の反射光の増加を受光部の受光出力が所定の閾値を超えた場合にスイッチオンし、その後、受光出力が閾値を下回った場合にスイッチオフする。
【００９０】
また、試験開始と試験終了は図１に示したリモコン装置２０の試験スイッチ２４の操作から検出するようにしても良い。
【００９１】
（制御部）
図５は図１の煙感知器試験装置に設けた制御部の機能構成を示したブロック図である。図５に示すように、制御部１００は例えばＣＰＵ、メモリ、各種の入出力ポート等を備えたマイクロプロセッサ回路で構成され、ＣＰＵによるプログラムの実行により制御部１００の機能が実現される。
【００９２】
制御部１００に対しては、電源スイッチ２２を介して電池電源６４が接続され、電源スイッチ２２は図１に示したようリモコン装置２０に設けられており、煙感知器の発報試験を行う際にオンすることで制御部１００に電池電源６４から電源が供給されて動作状態となる。
【００９３】
制御部６８に対しては図２の装置本体１２に設けられた接触スイッチ６８と図１のリモコン装置２０に設けられた試験スイッチ２４が接続され、制御部１００により試験開始と試験終了が検出される。
【００９４】
また、制御部１００には図４に示した発煙部７０に設けられたヒータ９０が駆動負荷として接続され、また、図２の排煙機構７２に設けたアクチュエータ７８が駆動負荷として接続される。
【００９５】
制御部１００は、例えば試験スイッチ２４のオン操作により試験開始を検出した場合に、ヒータ９０の駆動により発煙部７０から煙を煙溜り部に放出させ、試験スイッチ２４のオフ操作により試験終了を検出した場合に、ヒータ９０の駆動を停止して発煙部７０からの煙の放出を停止させると共に、排煙機構７２のアクチュエータ７８を作動して排煙扉７６を開放させ、所定時間後にアクチュエータ７８の作動を停止して排煙扉７６を閉鎖させる制御を行う。
【００９６】
制御部１００によるヒータ９０の駆動制御は、ヒータ９０に所定のオンオフ周期のパルス駆動信号を供給するＰＷＭ制御（パルス幅制御）とする。この場合、制御部１００は試験開始を検出した直後は、パルス駆動信号のオンデューティを大きくすることでヒータ９０の加熱温度を高くして発煙量を増加させ、所定時間が経過したらオンデューティを小さくして発煙量を所定量に低下させて安定させる制御を行う。
【００９７】
また、制御部１００による別の制御として、例えば接触スイッチ６８のオンにより試験開始を検出した場合に、ヒータ９０の駆動により発煙部７０から煙を煙溜り部に放出させ、接触スイッチ６８のオフにより試験終了を検出した場合に、ヒータ９０の駆動を停止して発煙部７０からの煙の放出を停止させると共に、排煙機構７２のアクチュエータ７８を作動して排煙扉７６を開放させ、所定時間後にアクチュエータ７８の作動を停止して排煙扉７６を閉鎖させる制御を行うようにしても良い。
【００９８】
更に、制御部１００による別の制御として、例えば試験スイッチ６８のオンにより試験開始を検出した場合に、ヒータ９０の駆動により発煙部７０から煙を煙溜り部に放出させ、接触スイッチ６８のオフにより試験終了を検出した場合に、ヒータ９０の駆動を停止して発煙部７０からの煙の放出を停止させると共に、排煙機構７２のアクチュエータ７８を作動して排煙扉７６を開放させ、所定時間後にアクチュエータ７８の作動を停止して排煙扉７６を閉鎖させる制御を行うようにしても良い。
【００９９】
［煙感知器試験装置による試験作業］
（背の高い煙感知器の発報試験）
図６は煙感知器試験装置による背の高い煙感知器の発報試験を示した説明図である。
【０１００】
図６に示すように、天井面１１に設置された試験対象となる煙感知器２００は、煙感知器試験装置１０の装置本体１２における押下げ板３０のストロークＬに同じとなる高さＨ１をもった背の高い煙感知器２００である。
【０１０１】
煙感知器２００の試験に先立ち点検員は、図１に示したリモコン装置２０の電源スイッチ２２をオンした状態で、試験スイッチ２４をオンすると、図５の制御部１００が発煙部７０のヒータ９０を駆動することで、発煙部７０から煙が放出され、押下げ板３０により密閉された本体可動部１２ａ内の煙溜り部２５に煙が流入して滞留を始める。
【０１０２】
続いて、点検員は、天井面１１の煙感知器２００に支持棒１６により装置本体１２を下側から押し当てると、煙感知器２００の当接を受けて押下げ板３０がコイルバネ３４を圧縮しながらガイドロッド３２に案内されて押下げ移動し、ストロークＬを移動すると、図示のように、押下げ板３０が本体可動部１２ａの底部隔壁１２ｅに当接して停止する。
【０１０３】
このような押下げ板３０の押下げ移動に伴い煙溜り部２５に滞留していた煙は、ポンプ作用で周囲から押し出されて煙感知器２００が位置する押下げ板３０の上側の空間に流れ込み、煙感知器２００に煙が流入する。
【０１０４】
また、押下げ板３０の押下げ移動に伴い回転駆動機構５０のラックバー４４も押下げ移動し、ラックギア４６の直線移動によりピニオンギア４８が回転し、ピニオンギア４８の回転はワンウェイクラッチ５２からギア５３，５４，５５を介して送風ファン６０に伝達されて回転し、また、ギア５６を介してフライホイール５８に伝達されて回転される。
【０１０５】
このように回転駆動機構５０により送風ファン６０が回転されると、発煙部７０から放出された煙は、煙感知器２００が位置する煙溜り部２５に送風ファン６０からの気流に乗せて強制的に送り込まれ、更に、効率良く煙感知器２００に流入される。
【０１０６】
このため煙感知器２００に流入した煙が設定感度に対応した閾値濃度を超える濃度に達すると煙感知器２００が試験発報し、受信機からの応答信号により煙感知器２００の発報表示灯が点灯し、点検員は試験発報を確認する。
【０１０７】
試験発報を確認した点検員は、例えばリモコン装置２０のオン状態にある試験スイッチ２４を操作することでオフ状態となり、図５の制御部１００が試験終了を検出し、ヒータ９０の駆動を停止することで、発煙部７０からの煙の放出を停止し、また、アクチュエータ７８の駆動で排煙機構７２の排煙扉７６を開いて排煙口７４から内部の煙を排出させる。
【０１０８】
発報試験の済んだ煙感知器２００から装置本体１２を引き降ろすと、押下げ板３０がコイルバネ３４により閉鎖位置に押上げられるが、このとき排煙扉７６が排煙扉７６ａに示すように開いているため、押上げ板３０の戻りにより煙溜り部２５に滞留している煙は排煙口４０から排出され、試験発報した煙感知器２００からの煙の排出が円滑に行われ、煙感知器は短時間で復旧する。
【０１０９】
（背の低い煙感知器の発報試験）
図７は煙感知器試験装置による背の低い煙感知器の発報試験を示した説明図である。
【０１１０】
図７に示すように、天井面１１に設置された試験対象となる煙感知器３００は、検煙部高さＨ２が煙感知器試験装置１０の装置本体１２における押下げ板３０の最大ストロークＬより低い薄型となっている。
【０１１１】
煙感知器３００の試験に先立ち点検員は、図１に示したリモコン装置２０の電源スイッチ２２をオンした状態で試験スイッチ２４をオンすると、図５の制御部１００が発煙部７０のヒータ９０を駆動することで、発煙部７０から煙が放出され、押下げ板３０により密閉された本体可動部１２ａ内の煙溜り部２５に流入して滞留が開始される。
【０１１２】
続いて、点検員は、天井面１１の煙感知器３００に支持棒１６により装置本体１２を下側から押し当てると、煙感知器３００の当接を受けて押下げ板３０がコイルバネ３４を圧縮しながらガイドロッド３２に案内されて押下げ移動し、煙感知器３００の検煙部高さＨ２だけ移動すると、図示のように、本体可動部１２ａに固定された本体可動部１２ａの上端の開口部材２６が感知器ベース２０２側に当る。
【０１１３】
このため感知器ベース２０２に開口部材２６が当って押されることで、本体可動部１２ａは、コイルバネ４０を圧縮しながら本体固定部１２ｂに対し押下げ移動され、底部隔壁１２ｆに起立されたガイド筒３６の先端に本体可動部１２ａの底部隔壁１２ｅが当たって停止するまで押下げ移動される。
【０１１４】
このとき押下げ板３０も本体可動部１２ａと一体に押下げ移動され、押下げ板３０はその最大ストロークＬに相当する距離だけ押下げ移動される。このような押下げ板３０の煙感知器３００による押下げ移動とこれに続く本体可動部１２ａの押下げ移動による最大ストロークＬに相当する距離の移動により、押下げ板３０に一端を固定しているラックバー４４も最大ストロークＬに相当する距離を移動し、ラックギア４６の直線運動によりピニオンギア４８を回転させ、ワンウェイクラッチ５２からギア５３，５４，５５を介して送風ファン６０を回転させると共に、ギア５６を介してフライホイール５８を回転させる。
【０１１５】
このため図７の低い高さＨ２の薄型の煙感知器３００であっても、図６の高さＨ１の背の高い煙感知器２００と同等のラックバー４４の移動量が確保され、回転駆動機構５０による送風ファン６０を背の高い煙感知器２００の場合と同等に回転させ、発煙部７０から放出された煙を送風ファン６０からの気流に乗せて煙溜り部２５側に効率良く搬送することができる。それ以外の試験動作は図６の場合と同じになる。
【０１１６】
［煙感知器試験装置の第２実施形態］
図８は煙感知器試験装置の第２実施形態を示した説明図であり、本実施形態は、装置本体に本体可動部を設けず、複数の本体固定部により構成したことを特徴とする。
【０１１７】
図８に示すように、本実施形態の煙感知器試験装置１０における装置本体１２は、円筒状の本体固定部１２ｂ〜１２ｄで構成されている。本体固定部１２ｂの上部開口にはリング状の開口部材２６が固定され、開口部材２６にはテーパー形状に開いた開口２８が形成されている。開口部材２６の下側には円板状の押下げ板３０がシール３１を介して配置される。なお、本体固定部１２ｂは発報表示灯の点灯確認のために透明な合成樹脂で形成されている。
【０１１８】
押下げ板３０は、下側にガイドロッド３２の一端が固定され、ガイドロッド３２の他端は、その下の底部隔壁１２ｆに起立したガイド筒３６を通して下側に延在されており、ガイドロッド３２にコイルバネ３４が通され、コイルバネ３４は押下げ板３０とガイド筒３６の間に配置されている。
【０１１９】
このため押下げ板３０はコイルバネ３４により開口部材２６の下側に押し当てられており、且つ、図１に示すように、装置本体１２を天井面１１の煙感知器２００に押し当てた場合に、煙感知器２００の当接を受けて本体固定部１２ｂ内に押し込み移動されるように支持される。
【０１２０】
押下げ部材３０と底部隔壁１２ｆで仕切られた本体固定部１２ｂの内部には煙溜り部２５が形成されている。このため装置本体１２を天井面の煙感知器に押し当てると、押下げ板３０は煙溜り部２５の中を押下げ移動することとなる。
【０１２１】
開口部材２６の下側に配置された押下げ板３０には、図２に示したように、中心に対し相対した２箇所に分けて内側に切り欠いたスリット３０ａが形成されており、煙感知器に対する押し当てで押下げ板３０が煙溜り部２５内を押下げ移動すると、煙溜り部２５に滞留している煙は押下げ板３０の移動に伴うポンプ作用により、スリット３０ａの形成による隙間を通って煙感知器が位置する上側の空間に押し出されることとなる。
【０１２２】
本体固定部１２ｂの底部隔壁１２ｆ側には送風ファン６０と発煙部７０が配置されている。また、本体固定部１２ｂ内に形成された煙溜り部２５を囲む周壁には排煙機構７２が設けられる。また、本体固定部１２ｄ内には回路収納部６２が形成され、電池電源６４と制御部基板６６が組み込まれている。
【０１２３】
送風ファン６０の回転駆動機構５０、発煙部７０、排煙機構７２は、図１の実施形態と同じになることから、同一符号を付して説明は省略する。また、制御部基板６６に実装された制御部も図５に示した第１実施形態の場合と同じになる。
【０１２４】
本実施形態の煙感知器試験装置１０にあっては、試験対象とする煙感知器の検煙部高さＨにより異なる押下げ板３０の押下げ移動のストロークが得られ、煙感知器の検煙部高さＨが高いと、回転駆動機構５０による送風ファン６０の回転速度が高くなり、煙感知器の検煙部高さＨが低いと回転駆動機構５０による送風ファン６０の回転速度が低くなるが、発煙部７０から放出させる煙の放出量を増加させるようにヒータによる加熱温度を高くする制御を行うことで、送風ファン６０の回転速度にばらつきがあっても、発報試験に必要な煙を送風ファン６０の回転による気流に乗せて煙溜り部２５側に効率良く搬送させることができる。
【０１２５】
［煙感知器試験装置の第３実施形態］
図９は電動ファンを設けた煙感知器試験装置の第３実施形態を示した説明図である。
【０１２６】
図９に示すように、本実施形態の煙感知器試験装置における装置本体１２は、図８の第２実施形態と同様に、円筒状の本体固定部１２ｂ〜１２ｄで構成され、本体固定部１２ｂの上部開口にはリング状の開口部材２６が固定され、開口部材２６にはテーパー形状に開いた開口２８が形成され、開口部材２６の下側にはシール３１を備えた円板状の押下げ板３０が配置されている。
【０１２７】
押下げ板３０は、下側にガイドロッド３２の一端が固定され、ガイドロッド３２の他端は、その下の底部隔壁１２ｆに起立したガイド筒３６を通して下側に延在されており、ガイドロッド３２にコイルバネ３４が通され、コイルバネ３４は押下げ板３０とガイド筒３６の間に配置され、これにより押下げ板３０を押し込み移動自在に支持している。
【０１２８】
本体固定部１２ｂの底部隔壁１２ｆ側には発煙部７０が配置されている。本体固定部１２ｂの底部隔壁１２ｆの部分には電動ファン１０２が配置されている。電動ファン１０２はモータ１０４により回転駆動され、モータ１０４は本体固定部１２ｃの底部隔壁１２ｇ上に架台１０６により配置されている。
【０１２９】
本体固定部１２ｂ内に形成された煙溜り部２５を囲む周壁には排煙機構７２が設けられる。また、本体固定部１２ｄ内には回路収納部６２が形成され、電池電源６４と制御部基板６６が組み込まれている。発煙部７０、排煙機構７２は図１の実施形態と同じになることから同一符号を付して説明は省略する。
【０１３０】
制御部基板６６に実装された制御部の機能構成は、図５に示した制御部１００の制御負荷として電動ファン１０２が追加される。この場合、制御部１００による制御は次のようになる。
【０１３１】
制御部１００は、例えば図１に示したリモコン操作部２０の試験スイッチ７０のオン操作により試験開始を検出した場合、ヒータ９０の駆動により発煙部７０から煙を煙溜り部２５に放出させ、煙放出と同時又は所定の遅延時間後に電動ファン１０２を回転駆動して発煙部７０から放出された煙を気流に乗せて煙溜り部２５に搬送させる制御を行う。
【０１３２】
また、制御部１００は、試験中に、試験スイッチ７０のオフ操作により試験終了を検出した場合、ヒータ９０の駆動を停止して発煙部７０からの煙の放出を停止させ、排煙機構７２のアクチュエータ７８を作動して排煙扉７６を開放させ、所定時間後に電動ファン１０２を停止してアクチュエータ７８の作動を停止して排煙扉７６を閉鎖させる制御を行う。
【０１３３】
ここで、制御部１００が試験終了を検出して発煙部７０からの煙放出を停止して排煙扉７６を開閉した場合、電動ファン１０２が継続して駆動されていることで、本体固定部１２ｂ内に位置している煙感知器に対する気流の搬送により、煙感知器に流入している煙を強制的に流出させ、排煙口７４から外部に排出することで、発報試験の済んだ煙感知器を短時間で復旧させることができ、煙感知器の復旧に伴い受信機からの制御で発報表示灯が消灯される。
【０１３４】
このように試験発報した煙感知器の復旧時間が短縮されると、複数の点検員で煙感知器の発報試験を行っている場合、発報表示灯の点灯数か所定の最大数を超えないようすることが可能となり、試験発報した煙感知器の復旧待ちが低減又は無くなることで、トータル的な発報試験の作業時間を低減して、作業能率を高めることができる。
【０１３５】
なお、制御部１００による試験開始と試験終了の検出は、接触スイッチ６８のオンにより試験開始を検出し、接触スイッチ６８のオフにより試験終了を検出するようにしても良いし、また、試験スイッチ６８のオンにより試験開始を検出し、接触スイッチ６８のオフにより試験終了を検出してしても良い。
【０１３６】
［煙感知器試験装置の第４実施形態］
図１０は送風部を持たない煙感知器試験装置の第４実施形態を示した説明図である。
【０１３７】
図１０に示すように、本実施形態の煙感知器試験装置における装置本体１２は、図９の第３実施形態に設けている電動ファン１０２及び排煙機構７２を取り除いた構成であり、それ以外の構成は図９の実施形態と同じになることから、同一符号を付して説明は省略する。
【０１３８】
また、制御部基板６６に実装された制御部の機能構成は、図５に示した制御部１００の制御負荷が発煙部７０のヒータ９０のみとなる。この場合、制御部１００による制御は、例えば図１に示したリモコン操作部２０の試験スイッチ７０のオン操作により試験開始を検出した場合、ヒータ９０の駆動により発煙部７０から煙を煙溜り部２５に放出させ、試験スイッチ７０のオフ操作により試験終了を検出した場合、ヒータ９０の駆動を停止して発煙部７０からの煙の放出を停止させる制御を行う。
【０１３９】
なお、制御部１００による試験開始と試験終了の検出は、接触スイッチ６８のオンにより試験開始を検出し、接触スイッチ６８のオフにより試験終了を検出するようにしても良いし、試験スイッチ２４のオンにより試験開始を検出し、接触スイッチ６８のオフにより試験終了を検出してしても良い。
【０１４０】
本実施形態にあっては、天井面の煙感知器に装置本体１２を押し当てた場合、押下げ板３０が押下げ移動することで、発煙部７０から放出されて煙溜り部２５に滞留している煙をポンプ作用により押し出して煙感知器が位置する押下げ板３０の上側の空間に噴出させ、これにより煙感知器に煙を流入させることで試験発報させる。
【０１４１】
この場合、送風ファンからの気流に乗せて煙を搬送する作用は得られないが、押下げ板３０の押下げ移動に伴うポンプ作用（押出し作用）により、十分な量の煙が押下げ板３０の上側の空間に噴出され、送風ファンを設けていなくとも発煙部７０からの煙の放出量を増やすことで、確実に煙感知器を試験発報させることができ、第１及び第２実施形態の機械的に回転駆動される送風ファンを設けた場合や第３実施形態の電動ファンを設けた場合に比べ、構造が簡単となり、軽量化とコストの低減を図ることができる。
【０１４２】
［本発明の変形例］
（発煙部）
上記の実施形態において、発煙部７０は、液体の発煙剤を気化させて煙を発せさせる方式であるが、他の方式でもよい。
【０１４３】
（排煙機構）
上記の第１乃至第３実施形態では、送風ファン又は電動ファンに対応して排煙機構７２を設けているが、排煙機構７２を設けない構成としても良い。
【０１４４】
（その他）
また本発明は、その目的と利点を損なうことのない適宜の変形を含み、更に、上記の実施形態に示した数値による限定は受けない。
【符号の説明】
【０１４５】
１０：煙感知器試験装置
１２：装置本体
１２ａ：本体可動部
１２ｂ〜１２ｄ：本体固定部
１２ｅ〜１２ｈ：底部隔壁
１４：支持部材
１５：軸部
１６：支持棒
１８：グリップ
２０：リモコン装置
２２：電源スイッチ
２４：試験スイッチ
２５：煙溜り部
２６：開口部材
２８：開口
３０：押下げ板
３０ａ：スリット
３２，４０：ガイドロッド
３４，４２：コイルバネ
３６：ガイド筒
３８：フローティングジョイント
４４：ラックバー
４６：ラックギア
４８：ピニオンギア
５０：回転駆動機構
５２：ワンウェイクラッチ
５２，５３，５４，５５，５６：ギア
５８：フライホイール
６０：送風ファン
６２：回路収納部
６４：電池電源
６６：制御部基板
６８：接触スイッチ
７０：発煙部
７２：排煙機構
７４：排煙口
７６：排煙扉
７８：アクチュエータ
８０：容器
８２：配線基板
８４：発煙剤注入口キャップ
８６：発煙剤
８８：芯材
９０：ヒータ
９４ａ，９４ｂ：ヒータ支持ポスト
９６：コネクタ
９８：リード線
１００：制御部
１０２：電動ファン
１０４：モータ
１０６：架台
２００，３００：煙感知器
２０２：感知器ベース
２０４：発報表示灯
【図１】
2019191814.tif 000003
【図２】
2019191814.tif 000004
【図３】
2019191814.tif 000005
【図４】
2019191814.tif 000006
【図５】
2019191814.tif 000007
【図６】
2019191814.tif 000008
【図７】
2019191814.tif 000009
【図８】
2019191814.tif 000010
【図９】
2019191814.tif 000011
【図１０】
2019191814.tif 000012